(57)【特許請求の範囲】
【請求項１】
基地局がユーザ装置の移動速度を取得するステップと、
前記ユーザ装置の前記移動速度が閾値を超えるかどうかを前記基地局が判断するステップと、
前記ユーザ装置の前記移動速度が前記閾値を超える場合、負荷マイグレーションを行う必要がないと前記基地局が判断するステップ、又は、
前記ユーザ装置の前記移動速度が前記閾値を超えない場合、前記ユーザ装置の現在のデータトラフィック、前記ユーザ装置の通信品質関連情報、及び負荷分散ノードの省エネルギーポリシーのうちの少なくとも１つに従って、負荷マイグレーションを行う必要があるかどうかを前記基地局が判断し、前記負荷マイグレーションを行う必要があると判断された場合に、前記基地局が負荷分散ノードと前記基地局との間の負荷マイグレーションを行うステップと、
を含む無線通信における負荷分散方法。
【請求項２】
前記ユーザ装置の前記移動速度は、前記基地局自体又は前記ユーザ装置から前記基地局により取得される請求項１に記載の負荷分散方法。
【請求項３】
前記ユーザ装置の前記移動速度を取得する前に、
前記基地局が、前記基地局から前記負荷分散ノードに負荷マイグレーションを要求するため又は前記負荷分散ノードから前記基地局に負荷マイグレーションを要求するために使用される負荷マイグレーション要求を前記ユーザ装置から受信するステップを更に含む請求項１又は２に記載の負荷分散方法。
【請求項４】
前記負荷マイグレーション要求は、前記ユーザ装置の前記移動速度及び前記ユーザ装置の通信品質関連情報のうちの少なくとも１つを含む請求項３に記載の負荷分散方法。
【請求項５】
前記ユーザ装置の前記移動速度を取得する前に、
前記基地局が、前記負荷分散ノードから前記基地局に負荷マイグレーションを要求するために使用される負荷マイグレーション要求を前記負荷分散ノードから受信するステップを更に含む請求項１又は２に記載の負荷分散方法。
【請求項６】
前記負荷マイグレーション要求は、前記ユーザ装置の前記移動速度及び前記負荷分散ノードの省エネルギーポリシーのうちの少なくとも１つを含む請求項５に記載の負荷分散方法。
【請求項７】
ユーザ装置の移動速度を取得する手段と、
前記ユーザ装置の前記移動速度が閾値を超えるかどうかを判断する手段と、
前記ユーザ装置の前記移動速度が前記閾値を超える場合、負荷マイグレーションを行う必要がないと判断する手段、又は、
前記ユーザ装置の前記移動速度が前記閾値を超えない場合、前記ユーザ装置の現在のデータトラフィック、前記ユーザ装置の通信品質関連情報、及び負荷分散ノードの省エネルギーポリシーのうちの少なくとも１つに従って、負荷マイグレーションを行う必要があるかどうかを判断し、前記負荷マイグレーションを行う必要があると判断した場合に、負荷分散ノードと基地局との間の負荷マイグレーションを行う手段と、
を含む基地局側における無線通信用の負荷分散装置。
【請求項８】
前記ユーザ装置の前記移動速度は、前記基地局自体又は前記ユーザ装置から前記基地局により取得される請求項７に記載の負荷分散装置。
【請求項９】
前記基地局から前記負荷分散ノードに負荷マイグレーションを要求するため又は前記負荷分散ノードから前記基地局に負荷マイグレーションを要求するために使用される負荷マイグレーション要求を前記ユーザ装置から受信する手段を更に備える請求項７又は８に記載の負荷分散装置。
【請求項１０】
前記負荷マイグレーション要求は、前記ユーザ装置の前記移動速度及び前記ユーザ装置の通信品質関連情報のうちの少なくとも１つを含む請求項９に記載の負荷分散装置。
【請求項１１】
前記負荷分散ノードから前記基地局に負荷マイグレーションを要求するために使用される負荷マイグレーション要求を前記負荷分散ノードから受信する手段を更に備える請求項７又は８に記載の負荷分散装置。
【請求項１２】
前記負荷マイグレーション要求は、前記ユーザ装置の前記移動速度及び前記負荷分散ノードの省エネルギーポリシーのうちの少なくとも１つを含む請求項１１に記載の負荷分散装置。
【請求項１３】
負荷分散ノードと基地局との間の負荷マイグレーションを行う手段は、
モビリティ管理エンティティに対するサービスベアラ変更プロセスを開始する手段と、
前記ユーザ装置のベアラ情報を再設定する手段と、
新しいベアラの確立を前記負荷分散ノードに通知する手段と、
を備える請求項７乃至１２の何れか一項に記載の負荷分散装置。
【請求項１４】
ユーザ装置の移動速度を取得する手段と、
前記ユーザ装置の前記移動速度が閾値を超える場合、負荷マイグレーションを行う必要がないと基地局が判断するため、又は、前記ユーザ装置の前記移動速度が前記閾値を超えない場合、前記ユーザ装置の現在のデータトラフィック、前記ユーザ装置の通信品質関連情報、及び負荷分散ノードの省エネルギーポリシーのうちの少なくとも１つに従って、負荷マイグレーションを行う必要があるかどうかを前記基地局が判断するため、前記ユーザ装置の前記移動速度を含む負荷マイグレーション要求を前記基地局に送信する手段と、
を含むユーザ装置側における無線通信用の負荷分散装置。
【請求項１５】
ユーザ装置の移動速度及び前記移動速度の所定の閾値を取得する手段と、
前記ユーザ装置の前記移動速度が前記所定の閾値を超えない場合、負荷マイグレーション要求を基地局に送信する必要があると判断する手段と、
基地局から負荷分散ノードに負荷マイグレーションを要求するため又は前記負荷分散ノードから前記基地局に負荷マイグレーションを要求するために使用される前記負荷マイグレーション要求を前記基地局に送信する手段と、
を含むユーザ装置側における無線通信用の負荷分散装置。
【請求項１６】
ユーザ装置の移動速度及び前記移動速度の所定の閾値を取得する手段と、
前記ユーザ装置の前記移動速度が前記所定の閾値を超えない場合、負荷マイグレーション要求を基地局に送信する必要があると判断する手段と、
負荷分散ノードから前記基地局に負荷マイグレーションを要求するために使用される前記負荷マイグレーション要求を前記基地局に送信する手段と、
を含む負荷分散ノード側における無線通信用の負荷分散装置。
【発明の詳細な説明】
【技術分野】
【０００１】
本発明は、通信分野に係り、特に負荷分散方法、その負荷分散方法を適用可能な基地局、ユーザ装置、及び負荷分散ノード、並びに無線通信ネットワークにこれらの基地局、ユーザ装置、及び負荷分散ノードを備えた通信システムに関する。
【背景技術】
【０００２】
無線通信システムにおいて、基地局はユーザ装置（すなわち、ＵＥ）（例えば、携帯電話など）とそのサービスエリア内で情報伝送ができる。
【０００３】
無線通信技術のさらなる進展とともに、ますます多くの種類のコンテンツが基地局とユーザ装置の間で情報伝送され、基地局とユーザ装置の間で伝送されるデータ量もますます大きくなっている。
【０００４】
例えば、アドバンスト・ロングターム・エボリューション・ソリューション（すなわち、ＬＴＥ−Ａ）という次世代無線通信システムでは、通常のデータ伝送機能に加え、基地局（すなわち、ｅＮＢ）はさらに、無線リソース管理（ＲＲＭ）、ヘッダ圧縮、ユーザデータフローの暗号化、ＵＥ接続の際のモビリティ管理エンティティの選択、ページング情報のスケジューリング及び伝送、ブロードキャスト情報のスケジューリング及び伝送、ｅＮＢ測定の設定及び実行などの機能を有する。したがって、ＬＴＥ−Ａシステムでは、基地局はより大容量のデータを伝送する必要がある。基地局とユーザ装置との間で伝送されるデータ量が大きいと、基地局に大きな負荷が掛かり、通信システムの安定性に影響が及ぶ可能性がある。
【０００５】
さらに、インターネットサービスの進展とともに、高帯域要求及び高トラフィック要求を有するますます多くのＩＰデータインターネットサービスが出現してきている。これらのサービスの出現により、基地局とユーザ装置との間で伝送されるデータ量がさらに増大する。
【発明の概要】
【発明が解決しようとする課題】
【０００６】
結果として、通信システムの安定性を向上させるために、基地局のデータトラフィックを効果的に分散させる負荷分散ソリューションが必要である。
【課題を解決するための手段】
【０００７】
本発明の実施形態は、負荷分散方法、その負荷分散方法を適用可能な基地局、ユーザ装置、及び負荷分散ノード、並びにこれらの基地局、ユーザ装置及び負荷分散ノードを備えた通信システムを提供し、これによりデータ伝送による基地局への負荷を効果的に分散し、通信システムの安定性を向上させることができる。
【０００８】
本発明の一態様によれば、負荷マイグレーション（ｌｏａｄ  ｍｉｇｒａｔｉｏｎ）を行う必要があるかどうかを基地局が判断することと、負荷マイグレーションを行う必要があると判断された場合に、基地局が負荷分散ノードと基地局との間の負荷マイグレーションを行うことと、を含む無線通信における負荷分散方法が提案される。
【０００９】
本発明の別の態様によれば、負荷マイグレーション要求を基地局に送信する必要があるかどうかをユーザ装置が判断することと、ユーザ装置が、負荷マイグレーション要求を基地局に送信する必要があると判断した場合に、ユーザ装置が負荷マイグレーション要求を基地局に送信することと、ユーザ装置が負荷マイグレーションに関する接続再設定メッセージを基地局から受信することと、ユーザ装置が負荷マイグレーションに関する接続再設定完了メッセージを基地局にフィードバックすることとを含み、負荷マイグレーションは、基地局から負荷分散ノードへの負荷マイグレーション又は負荷分散ノードから基地局への負荷マイグレーションである、無線通信における負荷分散方法が提案される。
【００１０】
本発明の別の態様によれば、ユーザ装置が負荷マイグレーションに関する接続再設定メッセージを基地局から受信することと、ユーザ装置が負荷マイグレーションに関する接続再設定完了メッセージを基地局にフィードバックすることとを含み、負荷マイグレーションは、基地局から負荷分散ノードへの負荷マイグレーション又は負荷分散ノードから基地局への負荷マイグレーションである、無線通信における負荷分散方法が提案される。
【００１１】
本発明の別の態様によれば、負荷分散ノードが、負荷マイグレーション要求を基地局に送信する必要があるかどうかを判断することと、負荷分散ノードが負荷マイグレーション要求を基地局に送信する必要があると判断した場合に、負荷分散ノードが、負荷マイグレーション要求を基地局に送信することと、負荷分散ノードが、負荷分散ノードから基地局への負荷マイグレーションを行うためのメッセージを基地局から受信することと、負荷分散ノードが、負荷マイグレーションを行うための応答メッセージを基地局にフィードバックすることと、を含む無線通信における負荷分散方法が提案される。
【００１２】
本発明の別の態様によれば、負荷分散ノードが、負荷マイグレーションを行うためのメッセージを基地局から受信することと、負荷分散ノードが、負荷マイグレーションを行うための応答メッセージを基地局にフィードバックすることと、を含み、負荷マイグレーションは負荷分散ノードから基地局への負荷マイグレーション又は基地局から負荷分散ノードへの負荷マイグレーションである、無線通信における負荷分散方法が提案される。
【００１３】
本発明の別の態様によれば、負荷マイグレーションを行う必要があるかどうかを判断するように構成された判断ユニットと、判断ユニットが負荷マイグレーションを行う必要があると判断した場合に、負荷分散ノードと基地局との間で負荷マイグレーションを行うよう構成された実行ユニットと、を備えた基地局側における無線通信用の負荷分散装置が提案される。
【００１４】
本発明の別の態様によれば、負荷マイグレーション要求を基地局に送信する必要があるかどうかを判断するように構成された判断ユニットと、判断ユニットが負荷マイグレーション要求を基地局に送信する必要があると判断した場合に、負荷マイグレーション要求を基地局に送信するように構成された送信ユニットと、負荷マイグレーションに関する接続再設定メッセージを基地局から受信するように構成された受信ユニットと、負荷マイグレーションに関する接続再設定完了メッセージを基地局にフィードバックするように構成されたフィードバックユニットと、を備え、負荷マイグレーションは基地局から負荷分散ノードへの負荷マイグレーション又は負荷分散ノードから基地局への負荷マイグレーションである、ユーザ装置側における無線通信用の負荷分散装置が提案される。
【００１５】
本発明の別の態様によれば、負荷マイグレーションに関する接続再設定メッセージを基地局から受信するように構成された受信ユニットと、負荷マイグレーションに関する接続再設定完了メッセージを基地局にフィードバックするように構成されたフィードバックユニットと、を備え、負荷マイグレーションは基地局から負荷分散ノードへの負荷マイグレーション又は負荷分散ノードから基地局への負荷マイグレーションである、ユーザ装置側における無線通信用の負荷分散装置が提案される。
【００１６】
本発明の別の態様によれば、負荷マイグレーション要求を基地局に送信する必要があるかどうかを判断するように構成された判断ユニットと、判断ユニットが負荷マイグレーション要求を基地局に送信する必要があると判断した場合に、負荷マイグレーション要求を基地局に送信するように構成された送信ユニットと、負荷分散ノードから基地局への負荷マイグレーションを行うためのメッセージを基地局から受信するように構成された受信ユニットと、負荷分散ノードから基地局への負荷マイグレーションを行うための応答メッセージを基地局にフィードバックするように構成されたフィードバックユニットと、を備える負荷分散ノード側における無線通信用の負荷分散装置が提案される。
【００１７】
本発明の別の態様によれば、負荷マイグレーションを行うためのメッセージを基地局から受信するように構成された受信ユニットと、負荷マイグレーションを行うための応答メッセージを基地局にフィードバックするように構成されたフィードバックユニットとを備え、負荷マイグレーションは負荷分散ノードから基地局への負荷マイグレーション又は基地局から負荷分散ノードへの負荷マイグレーションである、負荷分散ノード側における無線通信用の負荷分散装置が提案される。
【００１８】
本発明の別の態様によれば、上記の基地局側に負荷分散装置を備えた基地局が提案される。
【００１９】
本発明の別の態様によれば、上記のユーザ装置側に負荷分散装置を備えたユーザ装置が提案される。
【００２０】
本発明の別の態様によれば、上記の負荷分散ノード側に負荷分散装置を備えた負荷分散ノードが提案される。
【００２１】
本発明の別の態様によれば、上記の少なくとも１つの基地局、ユーザ装置、及び負荷分散装置を備えた通信システムが提供される。
【００２２】
以上のように、基地局の負荷を分散可能な負荷分散ノードを通信システムに導入することから、基地局の負荷を軽減でき、したがって基地局の負荷を効率的に分散し、通信システムの安定性を向上させる。さらに、負荷分散ノードがトラフィック分散に適さないときには、負荷を基地局へ戻すマイグレーションを行ってもよいため、通信品質を確保できる。
【００２３】
本発明の実施形態又は先行技術における技術的解決策をより明確に説明するために、以下に実施形態の説明に必要な添付図面を簡潔に説明する。以下の説明における添付図面は、本発明の実施形態のいくつかを示しているにすぎず、当業者はこれらの添付図面から創造的な努力なしに別の図面を導き出し得ることは明らかである。
【図面の簡単な説明】
【００２４】
【図１】本発明の１つの実施形態による負荷分散方法の概略フローチャートを示す。
【図２】本発明の１つの実施形態による、ユーザ装置が基地局から負荷分散ノードへの負荷マイグレーションを開始する場合に、負荷マイグレーションを行う必要があるかどうかを基地局が判断する場合の処理フローチャートを示す。
【図３】本発明の１つの実施形態による、基地局がＬＴＥ−Ａネットワークにおいて負荷マイグレーションを行う場合の処理フローチャートを示す。
【図４】本発明の１つの実施形態による、ユーザ装置が負荷分散ノードから基地局への負荷マイグレーションを開始する場合に、負荷マイグレーションを行う必要があるかどうかを基地局が判断する場合の処理フローチャートを示す。
【図５】本発明の１つの実施形態による、負荷分散ノードが負荷分散ノードから基地局への負荷マイグレーションを開始する場合に、負荷マイグレーションを行う必要があるかどうかを基地局が判断する場合の処理フローチャートを示す。
【図６】本発明の１つの実施形態による、負荷マイグレーション要求がユーザ装置側で開始される場合に、ユーザ装置側で実行される負荷分散方法のフローチャートを示す。
【図７】本発明の１つの実施形態による、ユーザ装置が、負荷マイグレーション要求を基地局に送信する必要があるかどうかを判断する場合の処理フローチャートを示す。
【図８】本発明の１つの実施形態による、負荷マイグレーション要求が負荷分散ノードにより開始される場合に、負荷分散ノード側で実行される負荷分散方法のフローチャートを示す。
【図９】本発明の１つの実施形態による、負荷分散要求が負荷分散ノードにより開始される場合に、負荷分散ノード側で実行される負荷分散方法のフローチャートを示す。
【図１０】本発明の１つの実施形態による、負荷分散ノードが、負荷マイグレーション要求を基地局に送信する必要があるかどうかを判断する場合の処理フローチャートを示す。
【図１１】本発明の１つの実施形態による、負荷マイグレーション要求が基地局又は負荷分散ノードにより開始される場合に、負荷分散ノード側で実行される負荷分散方法のフローチャートを示す。
【図１２】本発明の１つの実施形態による、基地局側の負荷分散装置の構成図を示す。
【図１３】本発明の１つの実施形態による、ユーザ装置側の負荷分散装置の構成図を示す。
【図１４】本発明の別の実施形態による、ユーザ装置側の負荷分散装置の構成図を示す。
【図１５】本発明の１つの実施形態による、負荷分散ノード側の負荷分散装置の構成図を示す。
【図１６】本発明の別の実施形態による、負荷分散ノード側の負荷分散装置の構成図を示す。
【発明を実施するための形態】
【００２５】
以下に、本発明の実施形態による添付図面を参照して本発明の実施形態による技術的解決策を明確かつ完全に説明する。説明されている実施形態は、本発明のすべての実施形態ではなく一部にすぎないことは明らかである。当業者が創造的な努力なしに本発明の実施形態に基づいて得られる他のすべての実施形態は、本発明の保護範囲の中にある。
【００２６】
本発明の１つの実施形態によれば、無線通信における負荷分散方法が提供される。図１は、この方法の概略フローチャートを示す。この実施形態による負荷分散方法は、以下の内容を含む。
【００２７】
Ｓ１１０：  基地局が、負荷マイグレーション（ｌｏａｄ  ｍｉｇｒａｔｉｏｎ）を行う必要があるかどうかを判断する。
【００２８】
具体的には、基地局は、基地局の負荷を軽減するために、現在の通信状態及び条件に従って、基地局が負担するデータトラフィックの一部を負荷分散ノードに伝送（移転）するかどうかを判断してもよく、又は、基地局は、通信品質を確保するために、負荷分散ノードが負担するデータトラフィックを基地局に戻すマイグレーションを行うする必要があるかどうかを判断してもよい。
【００２９】
Ｓ１２０：  負荷マイグレーションを行う必要があると判断された場合に、基地局が負荷分散ノードと基地局との間で負荷マイグレーションを行う。
【００３０】
任意選択で、基地局が負荷マイグレーションを行う必要がないと判断した場合には、処理は終了してもよい。
【００３１】
以上のように、図１に記載の実施形態では、基地局の負荷を分散可能な負荷分散ノードが通信システムに導入されるため、基地局の負荷を軽減でき、それによって基地局の負荷を効果的に分散し、通信システムの安定性を向上させる。さらに、負荷分散ノードがトラフィック分散に適していないときには、負荷を基地局へ戻すマイグレーションを行ってもよいため、通信品質をさらに確保できる。
【００３２】
本発明の各実施形態では、負荷分散ノードは、基地局と一対一対応をなしてもよく（すなわち、各基地局が１つの負荷分散ノードに対応する）、又は多対一対応をなしてもよい（すなわち、複数の基地局が１つの負荷分散ノードに対応する）ことに留意されたい。
【００３３】
また、負荷分散ノードは基地局と機能的に区別されるものである。しかし、物理的には負荷分散ノードは基地局に設置されてもよく（例えば、基地局の一部として設置されてもよい）、又は基地局の外部に設置されてもよい（例えば、ユーザ装置などの別の装置に設置されてもよく、又は独立に形成されてもよい）。
【００３４】
本発明の実施形態においては、負荷マイグレーション処理は基地局側において基地局により実行されてもよい。この負荷マイグレーション処理のプロセスは、基地局、ユーザ装置、又は負荷分散ノードにより開始されてもよい。以下で詳細に説明する。
【００３５】
（実施形態１）
この実施形態による負荷分散方法では、ユーザ装置が基地局に対して負荷マイグレーション処理を開始してもよい。具体的には、ユーザ装置は、基地局から負荷分散ノードへの負荷マイグレーションと負荷分散ノードから基地局への負荷マイグレーションとを開始してもよい。
【００３６】
図２は、本発明の１つの実施形態による、ユーザ装置が基地局から負荷分散ノードへの負荷マイグレーションを開始する場合に、基地局が、負荷マイグレーションを行う必要があるかどうかを判断する場合の処理フローチャートを示す。
【００３７】
Ｓ２１０：  基地局はユーザ装置から負荷マイグレーション要求を受信する。
【００３８】
具体的には、ユーザ装置が基地局から負荷分散ノードへの負荷マイグレーションを開始する場合に、基地局は、基地局から負荷分散ノードへの負荷マイグレーションを要求するための負荷マイグレーション要求を、ユーザ装置からＲＲＣシグナリングを用いて受信してもよく、あるいは既知又は開発中の他のシグナリングを用いて受信してもよい。
【００３９】
好ましくは、負荷分散後の通信品質を考慮して、負荷分散処理は、低速で移動中又は定常状態にあるユーザ装置のデータトラフィックに対してのみ行われてもよい。したがって、この場合、基地局がユーザ装置から受信した負荷マイグレーション要求は、少なくともユーザ装置の移動速度を含んでもよい。
【００４０】
Ｓ２２０：  基地局が、ユーザ装置の移動速度及び負荷分散ノードの省エネルギーポリシーに従い、かつユーザ装置により行われているデータ伝送のトラフィックを参照して、負荷マイグレーションを行う必要があるかどうかを判断する。
【００４１】
通信システム全体の電力消費量を考慮すると、電力消費量を削減するために、負荷分散ノードは必ずしも常にアクティブ状態にあるわけではない。例えば、通信トラフィックが低い（すなわち、基地局の負荷が高くない）ことが知られている時間区間（例えば、午前１時から６時の間）に、負荷分散ノードの電源を切り、エネルギー消費量を削減する効果を達成してもよい。したがって、基地局は、基地局から負荷分散ノードへの負荷マイグレーション要求を行う必要があるかどうかを判断する際、負荷分散ノードの電源が切られている時間区間における所定の省エネルギーポリシーを考慮する必要がある。具体的には、省エネルギーポリシーは、例えば、エネルギー消費量を削減するため、負荷分散ノードの電源が切られている特定の時間区間についての情報を含んでもよい。さらに、基地局は、既知又は開発中の適切なシグナリングを用いて負荷分散ノードから負荷分散ノードの省エネルギーポリシーを取得してもよい。
【００４２】
１つの例において、ユーザ装置の移動速度がある閾値（例えば、５ｋｍ／ｈ、１０ｋｍ／ｈなど）を超えていることが分かった場合に、基地局は、ユーザ装置が高速で移動中であると見なし、この場合、通信品質を確保するために、負荷マイグレーションを行う必要はないと判断してもよい。
【００４３】
別の例において、現在の時刻が、省エネルギーポリシーにより予め定められた負荷分散ノードが機能していない時間区間の範囲内にあることが分かった場合に、基地局は、省エネルギーを考慮し、負荷マイグレーションを行う必要がないと判断してもよい。
【００４４】
別の例において、基地局が、ユーザ装置の移動速度がある閾値を超えておらず、現在の時刻が、省エネルギーポリシーにより定められた負荷分散ノードが機能していない時間区間の範囲内にないと判断し、ユーザ装置により行われているデータトラフィックが高いことが分かった場合に、基地局は、ユーザ装置に対して負荷マイグレーション処理を行う必要があると判断してもよい。
【００４５】
負荷マイグレーション処理における１つの好適な例として、基地局は、ユーザ装置により現在行われているデータトラフィックのうち、高帯域要求、高トラフィック要求、及び１つのＱｏＳ要求を有するＩＰデータインターネットサービスに対してのみ負荷分散を行ってもよい。しかし、本発明はこれに限定されない。実際には、基地局は、行われているデータトラフィックのいかなる種類のデータに対しても負荷分散処理を行ってもよい。
【００４６】
このようにして、基地局は、ユーザ装置から受信した負荷マイグレーション要求に基づいて負荷マイグレーションを行う必要があるかどうかを判断してもよい。基地局は、負荷分散を行う必要があると判断した後、負荷分散ノードとの負荷マイグレーション処理を行ってもよい。
【００４７】
ネットワークの種類が異なれば、基地局が行う負荷マイグレーションのプロセスが異なってもよいことに留意されたい。以下の説明では、例としてＬＴＥ−Ａ通信システムを用いている。しかし、本発明はこれに限定されず、他の形式に変更されてもよいことは明らかである。
【００４８】
図３は、本発明の１つの実施形態による、基地局がＬＴＥ−Ａネットワークにおいて負荷マイグレーションを行う場合の処理フローチャートを示す。
【００４９】
Ｓ３１０：  基地局がモビリティ管理エンティティに対してサービスベアラ変更プロセスを開始する。
【００５０】
例えば、基地局はＲＡＢ変更要求（ＲＡＢ  Ｍｏｄｉｆｙ  Ｒｅｑｕｅｓｔ）をモビリティ管理エンティティに送信し、モビリティ管理エンティティは、サービスベアラの変更を終えた後で基地局にＲＡＢ変更応答（ＲＡＢ  Ｍｏｄｉｆｙ  Ｒｅｓｐｏｎｓｅ）を返してもよい。
【００５１】
Ｓ３２０：  基地局があるユーザ装置のベアラ情報を再設定する。
【００５２】
例えば、基地局はＲＲＣ接続再設定メッセージをユーザ装置に送信し、ユーザ装置は、再設定を終えた後で基地局にＲＲＣ接続再設定完了メッセージを返してもよい。
【００５３】
Ｓ３３０：  基地局が、新しいベアラの確立（実行）を負荷分散ノードに通知する。
【００５４】
例えば、基地局は、マイグレーション割当メッセージを使用してベアラ変更が終了したことを負荷分散ノードに通知し、新たに割り当てられたベアラを保持するために、負荷分散ノードに古い負荷を解放するように要求してもよい。負荷分散ノードは、新しいベアラを確立した後で応答として基地局にマイグレーション割当応答メッセージを返してもよい。マイグレーション割当メッセージ及びマイグレーション割当応答メッセージは、マイグレーション割当情報及びマイグレーション割当応答情報の転送に適した既知又は未知のメッセージでもよい。
【００５５】
このようにして、基地局は基地局から負荷分散ノードへの負荷マイグレーションを実行してもよい。
【００５６】
基地局から負荷分散ノードへの負荷マイグレーションに加えて、ユーザ装置はまた、負荷分散ノードから基地局への負荷マイグレーションを開始してもよい。
【００５７】
図４は、本発明の１つの実施形態による、ユーザ装置が負荷分散ノードから基地局への負荷マイグレーションを開始する場合に、基地局が、負荷マイグレーションを行う必要があるかどうかを判断する場合の処理フローチャートを示す。
【００５８】
Ｓ４１０：  基地局がユーザ装置から負荷マイグレーション要求を受信する。
【００５９】
具体的には、ユーザ装置が負荷分散ノードから基地局への負荷マイグレーションを開始する場合に、基地局は負荷分散ノードから基地局への負荷マイグレーションを要求するための負荷マイグレーション要求をユーザ装置から受信してもよい。基地局は、負荷マイグレーション要求を既知又は開発中の適切なシグナリングを用いてユーザ装置から受信してもよい。
【００６０】
ユーザ装置が基地局から負荷分散ノードへの負荷マイグレーションを開始する場合と同様に、負荷分散後の通信品質を考慮して、負荷分散処理は、低速で移動中又は定常状態にあるユーザ装置のデータトラフィックに対してのみ行われてもよい。したがって、負荷マイグレーション要求は、少なくともユーザ装置の移動速度を含んでもよい。
【００６１】
また、ユーザ装置の通信品質をさらに確保するために、負荷マイグレーション要求は、少なくともユーザ装置の通信品質関連情報を含んでもよい。ユーザ装置の通信品質関連情報は、例えば、無線リンク障害情報、ユーザ装置がサービス圏外にいるかどうかを示す信号品質などを含んでもよい。
【００６２】
Ｓ４２０：  基地局が、負荷マイグレーション要求及び省エネルギーポリシーに従って、負荷分散ノードから基地局への負荷マイグレーションを行う必要があるかどうかを判断する。
【００６３】
具体的には、基地局は、負荷マイグレーション要求に従い、かつ負荷分散ノードの省エネルギーポリシーを参照して、負荷分散ノードから基地局への負荷マイグレーションを行う必要があるかどうかを判断してもよい。
【００６４】
基地局は、例えば、基地局が以下の場合のうちの少なくとも１つに気付いた場合に、負荷分散ノードはもはや負荷分散処理を行うのに適していないため、負荷分散ノードから基地局への負荷マイグレーションを行う必要があると判断してもよい。すなわち、ユーザ装置の移動速度がある閾値を超えている場合、ユーザ装置により報告されるユーザ装置の通信品質関連情報が、ユーザに対する通信品質が悪いことを示している場合、及び現在の時刻が、省エネルギーポリシーにより規定される負荷分散ノードの電源が切られている時間区間の範囲内にある場合である。
【００６５】
このようにして、基地局は、ユーザ装置から受信した負荷マイグレーション要求に従い、かつ負荷分散ノードの省エネルギーポリシーを参照して、負荷分散ノードから基地局への負荷マイグレーションを行う必要があるかどうかを判断してもよい。基地局が、負荷分散ノードは負荷分散を行う必要がないと判断した場合には、基地局は、負荷分散ノードから基地局への負荷マイグレーション処理を行ってもよい。
【００６６】
基地局が、負荷分散ノードから基地局への負荷マイグレーション処理を行う場合の具体的なプロセスは、図３を参照して詳述した基地局から負荷分散ノードへの負荷マイグレーション処理と同様でもよいため、明細書を簡潔にするためにここでは繰り返し説明しない。
【００６７】
（実施形態２）
この実施形態による負荷分散方法では、負荷分散ノードが、基地局に対する負荷マイグレーション処理を開始してもよい。実施形態１（ユーザ装置が、負荷分散ノードから基地局への負荷マイグレーション及び基地局から負荷分散ノードへの負荷マイグレーションを開始してもよい場合）との違いは、負荷分散ノードが、負荷分散ノードから基地局への負荷マイグレーションのみを開始できるという点にある。
【００６８】
図５は、本発明の１つの実施形態による、負荷分散ノードが負荷分散ノードから基地局への負荷マイグレーションを開始する場合に、基地局が、負荷マイグレーションを行う必要があるかどうかを判断する場合の処理フローチャートを示す。
【００６９】
Ｓ５１０：  基地局が負荷分散ノードから負荷マイグレーション要求を受信する。
【００７０】
具体的には、負荷分散ノードが負荷分散ノードから基地局への負荷マイグレーションを開始する場合に、基地局は、例えば、負荷分散ノードから基地局への負荷マイグレーションを要求するための負荷マイグレーション要求を負荷分散ノードから受信してもよい。負荷マイグレーション要求は、既知又は開発中の適切なシグナリングを用いて負荷分散ノードと基地局との間を転送されてもよい。
【００７１】
実施形態１の場合と同様に、負荷分散後の通信品質を考慮して、負荷分散処理は、低速で移動中又は定常状態にあるユーザ装置のデータトラフィックに対してのみ行われてもよい。したがって、１つの例では、基地局が負荷分散ノードから受信した負荷マイグレーション要求は、少なくともユーザ装置の移動速度を含んでもよい。この移動速度は、負荷分散ノードとデータ通信を行っているユーザ装置を評価することにより負荷分散ノードが取得した移動速度でもよく、又は負荷分散ノードが基地局から取得した負荷分散ノードとデータ通信を行っているユーザ装置の移動速度でもよい。
【００７２】
また、別の例では、負荷分散ノードが負荷分散ノードから基地局への負荷マイグレーションを開始する場合に、基地局が負荷分散ノードから受信する負荷マイグレーション要求は、少なくとも負荷分散ノードの省エネルギーポリシーを含んでもよい。省エネルギーポリシー及び基地局による省エネルギーポリシー取得の具体的詳細については、実施形態１の具体的説明を参照してもよいため、明細書を簡潔にするためにここでは繰り返し説明しない。
【００７３】
Ｓ５２０：  基地局が負荷マイグレーション要求及び省エネルギーポリシーに従って負荷マイグレーションを行う必要があるかどうかを判断する。
【００７４】
例えば、負荷マイグレーション要求に従って、ユーザ装置の移動速度がある閾値（例えば、５ｋｍ／ｈ、１０ｋｍ／ｈなど）を超えていると判断される場合、基地局は、ユーザ装置は高速で移動中であると見なし、この場合、通信品質を確保するために、負荷マイグレーションを行う必要がない、すなわち、負荷分散ノードから基地局への負荷マイグレーション処理を行う必要があると判断してもよい。
【００７５】
別の例では、基地局が、負荷マイグレーション要求に従って、現在の時刻が省エネルギーポリシーにより定められた負荷分散ノードの電源が切られている時間区間の範囲内にあると判断する場合、基地局は、負荷分散ノードはもはや負荷分散処理を行えない、すなわち負荷分散ノードから基地局への負荷マイグレーション処理を行う必要があると判断してもよい。
【００７６】
このようにして、基地局は、負荷分散ノードから受信する負荷マイグレーション要求に従って、負荷マイグレーションを行う必要があるかどうかを判断してもよい。基地局は、負荷マイグレーションを行う必要がある（すなわち、負荷分散ノードはもはや負荷分散処理を行えない）と判断した後に、負荷分散ノードから基地局への負荷マイグレーション処理を行ってもよい。
【００７７】
基地局が負荷分散ノードから基地局への負荷マイグレーション処理を行う場合の具体的な処理は、図３を参照して説明した実施形態１の詳細な説明と同様でもよいため、明細書を簡潔にするためにここでは繰り返し説明しない。
【００７８】
（実施形態３）
この実施形態による負荷分散方法では、基地局が負荷マイグレーション処理を開始してもよい。この実施形態は、ユーザ装置ではなく基地局が負荷分散ノードから基地局への負荷マイグレーション及び基地局から負荷分散ノードへの負荷マイグレーションを開始する点で実施形態１と異なる。
【００７９】
具体的には、基地局が基地局から負荷分散ノードへの負荷マイグレーションを開始する場合に、基地局は、ユーザ装置の移動速度、ユーザ装置の現在のデータトラフィック、及び負荷分散ノードの省エネルギーポリシーに従って、基地局から負荷分散ノードへの負荷マイグレーションを行う必要があるかどうかを判断してもよい。
【００８０】
１つの例において、ユーザ装置の移動速度がある閾値（例えば、５ｋｍ／ｈ、１０ｋｍ／ｈなど）を超えていることが分かった場合、基地局は、ユーザ装置は高速で移動中であると見なし、この場合、通信品質を確保するために、基地局から負荷分散ノードへの負荷マイグレーションを行う必要はないと判断してもよい。基地局は、ユーザ装置の移動速度及び移動速度が速すぎるかどうかを判断するための閾値を基地局自体から取得してもよい。あるいは基地局は、ユーザ装置が評価した移動速度をユーザ装置側から取得してもよい。
【００８１】
別の例において、現在の時刻が省エネルギーポリシーにより定められた負荷分散ノードが機能していない時間区間の範囲内にあることが分かった場合、基地局は、省エネルギーを考慮し、基地局から負荷分散ノードへの負荷マイグレーションを行う必要がないと判断してもよい。基地局は、負荷分散ノードの省エネルギーポリシーを種々の方法で取得してもよい。例えば、基地局は、負荷分散ノードの省エネルギーポリシーをネットワーク管理システム（例えば、ＬＴＥシステムのＯＡＭ）を使用して取得してもよく、負荷分散ノードから直接省エネルギーポリシーを取得してもよい。
【００８２】
別の例において、基地局が、ユーザ装置の移動速度がある閾値を超えておらず、現在の時刻が省エネルギーポリシーにより定められた負荷分散ノードが機能していない時間区間の範囲内にないと判断し、ユーザ装置が非常に高いデータトラフィックを行なっていることが分かった場合に、基地局はユーザ装置に対して基地局から負荷分散ノードへの負荷マイグレーション処理を行う必要があると判断してもよい。
【００８３】
負荷マイグレーション処理における１つの好適な例として、基地局は、ユーザ装置により現在行われているデータトラフィックのうち、高帯域要求、高トラフィック要求、及び１つのＱｏＳ要求を有するＩＰデータインターネットサービスに対してのみ負荷分散を行ってもよい。しかし、本発明はこれに限定されない。実際には、基地局は、行われているデータトラフィックのいかなる種類のデータに対しても負荷分散処理を行ってもよい。
【００８４】
このようにして、基地局は、負荷マイグレーションを行う必要があるかどうかを判断してもよい。基地局は、基地局から負荷分散ノードへの負荷分散を行う必要があると判断した後に、負荷分散ノードとの負荷マイグレーション処理を行ってもよい。基地局が基地局から負荷分散ノードへの負荷マイグレーション処理を行う場合の具体的なプロセスは、図３を参照して説明した基地局から負荷分散ノードへの負荷マイグレーション処理と同様でもよいため、明細書を簡潔にするためにここでは繰り返し説明しない。
【００８５】
以上の説明から分かるように、基地局は、基地局から負荷分散ノードへの負荷マイグレーションに加えて、負荷分散ノードから基地局への負荷マイグレーションも開始してもよい。
【００８６】
具体的には、基地局は、ユーザ装置の移動速度、ユーザ装置の通信品質関連情報、及び省エネルギーポリシーのうちの少なくとも１つに従って、負荷分散ノードから基地局への負荷マイグレーションを行う必要があるかどうかを判断してもよい。
【００８７】
基地局から負荷分散ノードへの負荷マイグレーションの場合と同様に、負荷分散後の通信品質を考慮して、負荷分散処理は、低速で移動中又は定常状態にあるユーザ装置のデータトラフィックに対してのみ行われてもよい。したがって、基地局は、ユーザ装置の移動速度に従って、負荷分散ノードから基地局への負荷マイグレーションを行う必要があるかどうかを判断してもよい。
【００８８】
また、基地局から負荷分散ノードへの負荷マイグレーションの場合と同様に、省エネルギーを考慮し、基地局は、負荷分散ノードの省エネルギーポリシーに従って負荷分散ノードから基地局への負荷マイグレーションを行う必要があるかどうかを判断してもよい。
【００８９】
さらに、ユーザ装置の通信品質をさらに確保するために、基地局は、ユーザ装置の通信品質関連情報に従って、負荷分散ノードから基地局への負荷マイグレーションを行う必要があるかどうかを判断してもよい。ユーザ装置の通信品質関連情報は、例えば、無線リンク障害情報、ユーザ装置がサービス圏外にいるかどうかを示す信号品質などを含んでもよい。基地局は、既知又は開発中の適切なシグナリングを用いてユーザ装置の通信品質関連情報をユーザ装置から取得してもよい。
【００９０】
基地局は、例えば、基地局が以下の場合のうちの何れか１つに気付いた場合に、負荷分散ノードはもはや負荷分散処理を行うのに適していないため、負荷分散ノードから基地局への負荷マイグレーションを行う必要があると判断してもよい。すなわち、ユーザ装置の移動速度がある閾値を超えている場合、ユーザ装置の通信品質関連情報が、ユーザに対する通信品質が悪いことを示している場合、及び現在の時刻が省エネルギーポリシーにより規定される負荷分散ノードの電源が切られている時間区間の範囲内にある場合である。
【００９１】
このようにして、基地局は、負荷分散ノードから基地局への負荷マイグレーションを行う必要があるかどうかを判断してもよい。基地局が負荷分散ノードは負荷分散を行う必要がないと判断した場合には、基地局は負荷分散ノードから基地局への負荷マイグレーション処理を行ってもよい。
【００９２】
基地局が負荷マイグレーション処理を行う場合の具体的な処理は、図３を参照して説明した実施形態１の詳細な説明と同様でもよいため、明細書を簡潔にするためにここでは繰り返し説明しない。
【００９３】
本発明のこの実施形態による負荷分散方法は、基地局側で説明された。本発明の１つの実施形態による負荷分散方法は、ユーザ装置側又は負荷分散ノード側でも実行されてもよい。
【００９４】
（実施形態４）
この実施形態では、本発明の実施形態による負荷分散方法がユーザ装置側で説明される。負荷マイグレーション処理は、ユーザ装置により開始されてもよく、ユーザ装置により開始されなくてもよい。
【００９５】
１つの例において、本発明のこの実施形態による負荷分散方法を実行するために、ユーザ装置が負荷マイグレーション処理を開始する。
【００９６】
図６は、本発明の１つの実施形態による、負荷マイグレーション処理がユーザ装置側で開始される場合のユーザ装置側で実行される負荷分散方法のフローチャートを示す。
【００９７】
Ｓ６１０：  ユーザ装置が、負荷マイグレーション要求を基地局に送信する必要があるかどうかを判断する。
【００９８】
具体的には、図７は、本発明の１つの実施形態による、ユーザ装置が、負荷マイグレーション要求を基地局に送信する必要があるかどうかを判断する場合の処理フローチャートを示す。
【００９９】
Ｓ７１０：  ユーザ装置がユーザ装置の移動速度、信号品質、及び所定の閾値を取得する。
【０１００】
具体的には、ユーザ装置は種々の適切な方法でユーザ装置の移動速度を取得してもよい。例えば、ユーザ装置は、移動速度を取得するためにその移動速度を評価してもよい。あるいはユーザ装置は、ブロードキャストメッセージを使用して基地局側からユーザ装置の移動速度を取得してもよい。
【０１０１】
さらに、ユーザ装置は、受信した信号品質に従ってその通信品質を取得してもよい。
【０１０２】
さらに、ユーザ装置はまた、種々の適切な方法で所定の閾値を取得してもよい。所定の閾値には、所定のユーザ移動速度閾値及び所定のユーザ装置信号品質閾値が含まれる。例えば、ユーザ装置は、ブロードキャストメッセージを使用して基地局側から所定の閾値を取得してもよい。あるいは所定の閾値はユーザ装置側で直接設定されてもよい。
【０１０３】
Ｓ７２０：  ユーザ装置が、取得したユーザ装置の移動速度及び所定の閾値又は通信品質に基づいて、負荷マイグレーション要求を基地局に送信する必要があるかどうかを判断する。
【０１０４】
具体的には、ユーザ装置が基地局と通信している場合において、ユーザ装置の移動速度が遅くかつ通信品質が良好である場合に、ユーザ装置は、基地局から負荷分散ノードへの負荷マイグレーションを要求する負荷マイグレーション要求を送信してもよいと判断してもよい。ユーザ装置が負荷分散ノードと通信している場合において、ユーザ装置の移動速度が閾値を超えているか、又は通信品質が悪いことが分かった場合に、ユーザ装置は、負荷分散ノードから基地局への負荷マイグレーションを要求する負荷マイグレーション要求を送信する必要があると判断してもよい。
【０１０５】
このようにして、ユーザ装置は、負荷マイグレーション要求を基地局に送信する必要があるかどうかを判断してもよい。
【０１０６】
図６に戻って参照すると、６１０においてユーザ装置が負荷マイグレーション要求を送信する必要があると判断すると、Ｓ６２０が行われる。
【０１０７】
Ｓ６２０：  ユーザ装置が負荷マイグレーションを要求する負荷マイグレーション要求を基地局に送信する。
【０１０８】
負荷マイグレーション要求は、基地局から負荷分散ノードへの負荷マイグレーションを要求してもよい。あるいは負荷分散ノードから基地局への負荷マイグレーションを要求してもよい。負荷マイグレーション要求の技術的詳細については、以上の説明を参照してもよいため、明細書を簡潔にするためにここでは繰り返し説明しない。
【０１０９】
Ｓ６３０：  ユーザ装置が負荷マイグレーションに関する接続再設定メッセージを基地局から受信する。
【０１１０】
例えば、ユーザ装置は、負荷マイグレーションに関する接続再設定メッセージを基地局からＲＲＣ接続シグナリングを用いて受信してもよい。
【０１１１】
Ｓ６４０：  ユーザ装置が負荷マイグレーションに関する接続再設定完了メッセージを基地局にフィードバックする。
【０１１２】
例えば、接続再設定の終了後に、ユーザ装置は、負荷マイグレーションに関する接続再設定完了メッセージをＲＲＣシグナリングを用いて基地局にフィードバックしてもよい。
【０１１３】
このようにして、本発明のこの実施形態によるユーザ装置により開始された負荷分散方法は、ユーザ装置側で終了する。
【０１１４】
別の例において、負荷マイグレーションプロセスは、ユーザ装置ではなく基地局又は負荷分散ノードにより開始されてもよい。
【０１１５】
図８は、本発明の１つの実施形態による、負荷分散要求が基地局又は負荷分散ノードにより開始される場合のユーザ装置側で実行される負荷分散方法のフローチャートを示す。
【０１１６】
Ｓ８１０：  ユーザ装置が負荷マイグレーションに関する接続再設定メッセージを基地局から受信する。負荷マイグレーションは、基地局から負荷分散ノードへのマイグレーションでもよく、又は負荷分散ノードから基地局へのマイグレーションでもよい。
【０１１７】
例えば、ユーザ装置は、負荷マイグレーションに関する接続再設定メッセージを基地局からＲＲＣ接続シグナリングを用いて受信してもよい。
【０１１８】
Ｓ８２０：  ユーザ装置が負荷マイグレーションに関する接続再設定完了メッセージを基地局にフィードバックする。
【０１１９】
例えば、接続再設定の終了後に、ユーザ装置は、負荷マイグレーションに関する接続再設定完了メッセージをＲＲＣシグナリングを用いて基地局にフィードバックしてもよい。
【０１２０】
このようにして、本発明のこの実施形態による基地局又は負荷分散ノードにより開始された負荷分散方法は、ユーザ装置側で終了する。
【０１２１】
（実施形態５）
この実施形態では、本発明の１つの実施形態による負荷分散方法が、負荷分散ノード側で説明される。負荷マイグレーション処理は、負荷分散ノードにより開始されてもよく、負荷分散ノードにより開始されなくてもよい。
【０１２２】
１つの例において、本発明のこの実施形態による負荷分散方法を実行するために、負荷分散ノードが負荷マイグレーション処理を開始してもよい。負荷マイグレーションは、負荷分散ノードから基地局への負荷マイグレーションを行うマイグレーションである。
【０１２３】
図９は、本発明の１つの実施形態による、負荷マイグレーション要求が負荷分散ノードにより開始される場合の負荷分散ノード側で実行される負荷分散方法のフローチャートを示す。
【０１２４】
Ｓ９１０：  負荷分散ノードが負荷マイグレーション要求を基地局に送信する必要があるかどうかを判断する。
【０１２５】
具体的には、図１０は、本発明の１つの実施形態による、負荷分散ノードが、負荷マイグレーション要求を基地局に送信する必要があるかどうかを判断する場合の処理フローチャートを示し、Ｓ１０１０及びＳ１０２０を含む。
【０１２６】
Ｓ１０１０：  負荷分散ノードがユーザ装置の移動速度及び所定の閾値並びに省エネルギーポリシーを取得する。
【０１２７】
具体的には、負荷分散ノードは種々の適切な方法でユーザ装置の移動速度を取得してもよい。例えば、負荷分散ノードは、ユーザ装置が評価した移動速度をユーザ装置側から取得してもよい。あるいはユーザ装置の移動速度を基地局側から取得してもよい。
【０１２８】
さらに、負荷分散ノードはまた、種々の適切な方法で所定の閾値を取得してもよい。例えば、負荷分散ノードは、ブロードキャストメッセージを使用して基地局側から所定の閾値を取得してもよい。
【０１２９】
さらに、負荷分散ノードは、負荷分散ノードの省エネルギーポリシーをその記憶装置から直接取得してもよい。
【０１３０】
Ｓ１０２０：  負荷分散ノードが、ユーザ装置の移動速度及び所定の閾値及び負荷分散ノードの省エネルギーポリシーに基づいて、負荷マイグレーション要求を基地局に送信する必要があるかどうかを判断する。
【０１３１】
具体的には、ユーザ装置の移動速度が所定の閾値を超えている場合には、負荷マイグレーション要求を基地局に送信する必要があると判断されてもよい。閾値を超えていない場合には、負荷マイグレーション要求を基地局に送信する必要がないと判断されてもよい。さらにまた、現在の時刻が省エネルギーポリシーにより制約された、負荷分散ノードが機能していない時間区間の範囲内にあると判断されると、負荷マイグレーション要求を基地局に送信する必要があると判断されてもよい。
【０１３２】
このようにして、ユーザ装置は負荷マイグレーション要求を基地局に送信する必要があるかどうかを判断してもよい。
【０１３３】
Ｓ９２０：  負荷分散ノードが、負荷マイグレーションを負荷分散ノードと基地局との間で行う必要があるかどうかを判断するための負荷マイグレーション要求を基地局に送信する。
【０１３４】
負荷マイグレーション要求は、負荷分散ノードから基地局への負荷マイグレーションを要求してもよい。負荷マイグレーション要求の技術的詳細については、以上の説明を参照してもよいため、明細書を簡潔にするためにここでは繰り返し説明しない。
【０１３５】
Ｓ９３０：  負荷分散ノードが、負荷分散ノードから基地局への負荷マイグレーションを行うためのメッセージを基地局から受信する。
【０１３６】
例えば、負荷分散ノードは、メッセージを既知又は開発中の適切なシグナリングを用いて基地局から受信してもよい。
【０１３７】
Ｓ９４０：  負荷分散ノードが、負荷分散ノードから基地局への負荷マイグレーションを行うための応答メッセージを基地局にフィードバックする。
【０１３８】
例えば、負荷分散ノードは、メッセージを既知又は開発中の適切なシグナリングを用いて基地局にフィードバックしてもよい。
【０１３９】
このようにして、負荷分散ノードは、本発明のこの実施形態による負荷分散ノードにより開始される負荷分散方法を終える。
【０１４０】
別の例において、負荷マイグレーションプロセスは、負荷分散ノードではなく基地局又はユーザ装置により開始されてもよい。この場合、負荷マイグレーションは基地局から負荷分散ノードへの負荷マイグレーションでもよく、又は負荷分散ノードから基地局への負荷マイグレーションでもよい。
【０１４１】
図１１は、本発明の１つの実施形態による、負荷マイグレーション要求が基地局又は負荷分散ノードにより開始される場合の負荷分散ノード側で実行される負荷分散方法のフローチャートを示す。
【０１４２】
Ｓ１１１０：  負荷分散ノードが基地局から負荷マイグレーションを行うためのメッセージを受信する。
【０１４３】
例えば、負荷分散ノードは、既知又は開発中の適切なシグナリングを用いて基地局からメッセージを受信してもよい。
【０１４４】
Ｓ１１２０：  負荷分散ノードが負荷マイグレーションを行うための応答メッセージを基地局にフィードバックする。
【０１４５】
例えば、負荷分散ノードは、既知又は開発中の適切なシグナリングを用いて基地局にメッセージをフィードバックしてもよい。
【０１４６】
このようにして、負荷分散ノードは、本発明のこの実施形態による基地局又は負荷分散ノードにより開始された負荷分散方法を終える。
【０１４７】
上記の方法に対応して、本発明の実施形態は対応する装置も提供する。
【０１４８】
（実施形態６）
本発明の１つの実施形態では、基地局側における無線通信用の負荷分散装置が提供される。図１２は、負荷分散装置の構成図を示す。図１２に示すように、負荷分散装置は、判断ユニット１２１０及び実行ユニット１２２０を備える。判断ユニット１２１０は、負荷マイグレーションを行う必要があるかどうかを判断するように構成されてもよい。実行ユニット１２２０は、判断ユニット１２１０が、負荷マイグレーションを行う必要があると判断した場合には、負荷分散ノード及び基地局間の負荷マイグレーションを実行してもよい。
【０１４９】
以上のように、図１２を参照して説明される本発明のこの実施形態による基地局側の負荷分散装置を、基地局の負荷を軽減し、それによって基地局の負荷を効果的に分散し、通信システムの安定性を向上させるために使用してもよい。さらに、負荷分散ノードがトラフィック分散に適していないときには、負荷を基地局に戻すマイグレーションを行い、通信品質をさらに確保できる。
【０１５０】
異なる適用シナリオでは、前述の実施形態における判断ユニットは異なる構成を有し、対応する機能を実行してもよい。
【０１５１】
本発明の１つの具体的な実施形態では、判断ユニットは、受信サブユニット及び判断サブユニットを含んでもよい。受信サブユニットは、ユーザ装置の移動速度を含む負荷マイグレーション要求をユーザ装置から受信するように構成されてもよい。判断サブユニットは、負荷マイグレーション要求、ユーザ装置の現在のデータトラフィック、及び負荷分散ノードの省エネルギーポリシーに従って、負荷マイグレーションを行う必要があるかどうかを判断するように構成されてもよい。このようにして、この実施形態による判断ユニットは、ユーザ装置から受信した負荷マイグレーション要求に従って、基地局から負荷分散ノードへの負荷マイグレーションを行う必要があるかどうかを判断してもよい。
【０１５２】
本発明の別の具体的な実施形態では、判断ユニットは、受信サブユニット及び判断サブユニットを含んでもよい。受信サブユニットは、ユーザ装置の移動速度及び通信品質関連情報のうちの少なくとも１つを含む負荷マイグレーション要求を、ユーザ装置から受信するように構成されてもよい。判断サブユニットは、負荷マイグレーション要求及び負荷分散ノードの省エネルギーポリシーに従って、負荷マイグレーションを行う必要があるかどうかを判断してもよい。このようにして、この実施形態による判断ユニットは、ユーザ装置から受信した負荷マイグレーション要求に従って、負荷分散ノードから基地局への負荷マイグレーションを行う必要があるかどうかを判断してもよい。
【０１５３】
本発明の別の具体的な実施形態では、判断ユニットは、受信サブユニット及び判断サブユニットを含んでもよい。受信サブユニットは、ユーザ装置の移動速度及び負荷分散ノードの省エネルギーポリシーのうちの少なくとも１つを含んでもよい負荷マイグレーション要求を、負荷分散ノードから受信してもよい。判断サブユニットは、負荷マイグレーション要求に従って、負荷マイグレーションを行う必要があるかどうかを判断してもよい。このようにして、この実施形態による判断ユニットは、負荷分散ノードから受信した負荷マイグレーション要求に従って、負荷分散ノードから基地局への負荷マイグレーションを行う必要があるかどうかを判断してもよい。
【０１５４】
本発明の別の具体的な実施形態では、判断ユニットは、判断サブユニットを含んでもよい。判断サブユニットは、ユーザ装置の移動速度、ユーザ装置の現在のデータトラフィック、及び負荷分散ノードの省エネルギーポリシーに従って、負荷マイグレーションを行う必要があるかどうかを判断してもよい。このようにして、この実施形態による判断ユニットは、基地局から負荷分散ノードへの負荷マイグレーションを行う必要があるかどうかを判断してもよい。
【０１５５】
本発明の別の具体的な実施形態では、判断ユニットは、判断サブユニットを含んでもよい。判断サブユニットは、ユーザ装置の移動速度、ユーザ装置の通信品質関連情報、及び負荷分散ノードの省エネルギーポリシーのうちの少なくとも１つに従って、負荷マイグレーションを行う必要があるかどうかを判断してもよい。このようにして、この実施形態による判断ユニットは、負荷分散ノードから基地局への負荷マイグレーションを行う必要があるかどうかを判断してもよい。
【０１５６】
さらに、前述の実施形態における実行ユニットは、異なるネットワーク条件に従って異なる構成で実装されてもよい。
【０１５７】
本発明の１つの具体的な実施形態では、実行ユニットは、開始サブユニット、設定サブユニット、及び通知サブユニットを含んでもよい。開始サブユニットは、モビリティ管理エンティティに対してサービスベアラ変更プロセスを開始してもよい。設定サブユニットは、ユーザ装置のベアラ情報を再設定してもよい。通知サブユニットは、負荷分散ノードに新しいベアラの確立を通知してもよい。このようにして、この実施形態による実行ユニットは、負荷分散ノード及び基地局間の負荷マイグレーションを実行してもよい。
【０１５８】
（実施形態７）
この実施形態では、ユーザ装置側における無線通信用の負荷分散装置が提供される。図１３は、負荷分散装置の構成図を示す。図１３に示すように、負荷分散装置は、判断ユニット１３１０、送信ユニット１３２０、受信ユニット１３３０、及びフィードバックユニット１３４０を備える。判断ユニットは、負荷マイグレーション要求を基地局に送信する必要があるかどうかを判断してもよい。送信ユニットは、負荷マイグレーション要求を基地局に送信する必要があると判断された場合に、負荷マイグレーション要求を基地局に送信してもよい。受信ユニットは、負荷マイグレーションに関する接続再設定メッセージを基地局から受信してもよい。フィードバックユニットは、負荷マイグレーションに関する接続再設定完了メッセージを基地局にフィードバックしてもよい。
【０１５９】
このようにして、この実施形態によるユーザ装置側における無線通信用の負荷分散装置は、基地局に対する負荷マイグレーション要求を開始し、基地局の指示に従って、基地局から負荷分散ノードへの負荷マイグレーション又は負荷分散ノードから基地局への負荷マイグレーションを実行してもよい。
【０１６０】
異なる適用シナリオでは、前述の実施形態における判断ユニットは異なる構成を有し、対応する機能を実行してもよい。本発明の１つの具体的な実施形態では、判断ユニットは、取得サブユニット及び判断サブユニットを含んでもよい。取得サブユニットは、ユーザ装置の移動速度、信号品質及び所定の閾値を取得するように構成されてもよい。判断サブユニットは、ユーザ装置の移動速度、所定の閾値及び信号品質に基づいて、ユーザ装置の移動速度及び信号品質のうちのいずれか１つが所定の閾値条件を満たす場合に基地局に送信される負荷マイグレーション要求を、基地局に送信する必要があるかどうかを判断してもよい。所定の閾値には、所定のユーザ移動速度閾値及び所定のユーザ装置信号品質閾値が含まれる。
【０１６１】
このようにして、この実施形態による判断ユニットは、負荷マイグレーション要求を基地局に送信する必要があるかどうかを判断してもよい。
【０１６２】
（実施形態８）
この実施形態では、ユーザ装置側における無線通信用の負荷分散装置が提供される。図１４は、負荷分散装置の構成図を示す。図１４に示すように、負荷分散装置は、受信ユニット１４１０及びフィードバックユニット１４２０を備える。受信ユニットは、負荷マイグレーションに関する接続再設定メッセージを基地局から受信してもよい。フィードバックユニットは、負荷マイグレーションに関する接続再設定完了メッセージを基地局にフィードバックしてもよい。
【０１６３】
このようにして、この実施形態によるユーザ装置側における無線通信用の負荷分散装置は、基地局の指示に従って、基地局から負荷分散ノードへの負荷マイグレーション又は負荷分散ノードから基地局への負荷マイグレーションを実行してもよい。
【０１６４】
（実施形態９）
この実施形態では、負荷分散ノード側における無線通信用の負荷分散装置が提供される。図１５は、負荷分散装置の構成図を示す。図１５に示すように、負荷分散装置は、判断ユニット１５１０、送信ユニット１５２０、受信ユニット１５３０、及びフィードバックユニット１５４０を備える。判断ユニットは、負荷マイグレーション要求を基地局に送信する必要があるかどうかを判断してもよい。送信ユニットは、負荷マイグレーション要求を基地局に送信する必要があると判断された場合に、負荷マイグレーション要求を基地局に送信してもよい。受信ユニットは、負荷分散ノードから基地局への負荷マイグレーションを行うためのメッセージを基地局から受信してもよい。フィードバックユニットは、負荷分散ノードから基地局への負荷マイグレーションを行うための応答メッセージを基地局にフィードバックしてもよい。
【０１６５】
このようにして、この実施形態による負荷分散ノード側における無線通信用の負荷分散装置は、基地局に対する負荷マイグレーション要求を開始し、基地局の指示に従って、負荷分散ノードから基地局への負荷マイグレーションを実行してもよい。
【０１６６】
異なる適用シナリオでは、前述の実施形態における判断ユニットは異なる構成を有し、対応する機能を実行してもよい。本発明の１つの具体的な実施形態では、判断ユニットは、取得サブユニット及び判断サブユニットを含んでもよい。取得サブユニットは、ユーザ装置の移動速度、所定の閾値及び負荷分散ノードの省エネルギーポリシーを取得するように構成されてもよい。判断サブユニットは、ユーザ装置の移動速度、所定の閾値及び負荷分散ノードの省エネルギーポリシーに基づいて、負荷マイグレーション要求を基地局に送信する必要があるかどうかを判断し、ユーザ装置の移動速度及び信号品質のうちのいずれか１つが所定の閾値条件を満たす場合に、負荷マイグレーション要求を基地局に送信してもよい。所定の閾値には、所定のユーザ移動速度閾値及び所定のユーザ装置信号品質閾値が含まれる。
【０１６７】
このようにして、この実施形態による判断ユニットは、負荷マイグレーション要求を基地局に送信する必要があるかどうかを判断してもよい。
【０１６８】
（実施形態１０）
この実施形態では、負荷分散ノード側における無線通信用の負荷分散装置が提供される。図１６は、負荷分散装置の構成図を示す。図１６に示すように、負荷分散装置は、受信ユニット１６１０及びフィードバックユニット１６２０を備える。受信ユニットは、負荷マイグレーションを行うためのメッセージを基地局から受信してもよい。フィードバックユニットは、負荷マイグレーションを行うための応答メッセージを基地局にフィードバックしてもよい。
【０１６９】
このようにして、この実施形態による負荷分散ノード側における無線通信用の負荷分散装置は、基地局の指示に従って、基地局から負荷分散ノードへの負荷マイグレーション又は負荷分散ノードから基地局への負荷マイグレーションを実行してもよい。
【０１７０】
本発明の実施形態による上記の装置は、方法に対応していることに留意されたい。したがって、上記の装置及びこれに含まれるユニット並びにコンポーネントのより詳細な内容については、方法についての説明を参照してもよいため、明細書を簡潔にするためにここでは繰り返し説明しない。
【０１７１】
本発明の実施形態はさらに、本発明の前述の実施形態による基地局側における無線通信用の負荷分散装置を備える基地局、本発明の前述の実施形態によるユーザ装置側における無線通信用の負荷分散装置を備えるユーザ装置、及び本発明の前述の実施形態による負荷分散ノード側における無線通信用の負荷分散装置を備える負荷分散ノードを提供する。
【０１７２】
さらに、本発明の実施形態はさらに、前述の実施形態による少なくとも１つの基地局、前述の実施形態による少なくとも１つのユーザ装置、及び前述の実施形態による少なくとも１つの負荷分散ノードを備えた通信システムを提供する。
【０１７３】
当業者は、前述の方法の実施形態におけるステップの全部又は一部を、関連ハードウェアに指示を行うプログラムによって実行してもよいことを理解するであろう。このプログラムは、コンピュータ読み取り可能な記憶媒体の中に記憶されてもよい。このプログラムが実行されるときに、前述の方法の実施形態のステップが実行される。これらの記憶媒体には、ＵＳＢフラッシュドライブ、読み取り専用メモリ（ＲＯＭ）、ランダムアクセスメモリ（ＲＡＭ）、又は磁気ディスク、光学ディスクなど、プログラムコードを記憶可能な媒体が含まれる。
【０１７４】
以上、本発明の実施形態を詳述した。本発明の原理及び実施形態は、本明細書における具体的な例を使用して説明されているが、これらの実施形態の説明は、本発明の方法及び核となる思想を理解する助けとなることのみを意図したものである。当業者であれば、本発明の思想に従って、特定の実装及び適用範囲に関する本発明の変形を行うことは可能である。従って、本明細書は本発明を限定するものと見なされるべきではない。
【図１】
0005744334.tif 000002
【図２】
0005744334.tif 000003
【図３】
0005744334.tif 000004
【図４】
0005744334.tif 000005
【図５】
0005744334.tif 000006
【図６】
0005744334.tif 000007
【図７】
0005744334.tif 000008
【図８】
0005744334.tif 000009
【図９】
0005744334.tif 000010
【図１０】
0005744334.tif 000011
【図１１】
0005744334.tif 000012
【図１２】
0005744334.tif 000013
【図１３】
0005744334.tif 000014
【図１４】
0005744334.tif 000015
【図１５】
0005744334.tif 000016
【図１６】
0005744334.tif 000017